(57)【特許請求の範囲】
【請求項１】
長手方向に沿って複数の係止部を備える一対の弾性バンドと、
離隔されていて前記一対の弾性バンドがそれぞれ掛かる一対のロッキングピンと前記一対のロッキングピンを通る平面に対して相反する方向にそれぞれ傾いている一対のガイド面とを備えるバックルホルダと、
前記弾性バンドの前記係止部に係止されるように形成されるラチェット突起と前記バックルホルダの前記ガイド面に面接触するように形成されるスライド面とを有し、前記バックルホルダにスライド可能にそれぞれ嵌められる一対のスライドバックルと、を備え、
前記係止部が前記ラチェット突起を第１方向に押して前記ラチェット突起と前記ロッキングピンとの間に前記弾性バンドの移動が許容されるロッキング解除位置と、前記係止部が前記ラチェット突起を前記第１方向と反対の第２方向に押して前記ラチェット突起が前記弾性バンドを前記ロッキングピンに対して圧迫するロッキング位置との間で前記スライドバックルが移動可能である、
バックル装置。
【請求項２】
前記バックルホルダは、一対の壁部を備え、
前記ロッキングピンと前記ガイド面は、前記壁部の間に位置し、
前記スライドバックルは、前記ガイド面と前記壁部との間にスライド可能に嵌められる
請求項１に記載のバックル装置。
【請求項３】
前記バックルホルダは、前記ロッキングピンに向かってそれぞれ延長する一対のガイドタングを備え、
前記ガイドタングの前記ロッキングピンに向かう表面が前記ガイド面を備え、
前記スライドバックルは、前記ガイドタングが置かれるリセスを備え、
前記リセスの表面が前記スライド面を備える、
請求項２に記載のバックル装置。
【請求項４】
前記壁部の前記ガイド面に面する縁部が前記ガイド面の傾きと同一の傾きに傾斜している、請求項３に記載のバックル装置。
【請求項５】
前記弾性バンドが前記スライドバックルのロッキング位置で前記ロッキングピンに対して圧縮されて前記第２方向に移動しないように前記ガイド面が前記平面に対して傾いている、請求項１に記載のバックル装置。
【請求項６】
前記バックルホルダは、前記ロッキングピンの間に前記平面に垂直に移動可能な押圧ボタンを備え、
前記押圧ボタンは、前記ガイド面に対向するようにそれぞれ傾いた一対の傾斜面を備え、
前記スライドバックルは、前記ロッキング位置で前記押圧ボタンの前記傾斜面に接触する傾斜面を備え、
前記押圧ボタンの前記ガイド面への移動時に前記押圧ボタンの傾斜面が前記スライドバックルの傾斜面を前記第１方向に沿って押して前記スライドバックルが前記ロッキング解除位置に移動する、
請求項１に記載のバックル装置。
【請求項７】
長手方向に沿って複数の係止部を備える弾性バンドと、
前記弾性バンドの前記係止部に係止されるように形成されるラチェット突起とスライド面とを備えるスライドバックルと、
前記弾性バンドが掛かるロッキングピンと前記スライドバックルのスライド面と面接触するように形成されるガイド面とを備え、前記スライドバックルをスライド移動可能に支持するバックルホルダと、を備え、
前記係止部が前記ラチェット突起を第１方向に押して前記ラチェット突起と前記ロッキングピンとの間に前記弾性バンドの移動が許容されるロッキング解除位置と、前記係止部が前記ラチェット突起を前記第１方向と反対の第２方向に押して前記ラチェット突起が前記弾性バンドを前記ロッキングピンに対して圧迫するロッキング位置との間で前記スライドバックルが前記ガイド面により案内されながらスライド移動可能であり、
前記スライドバックルは前記ロッキングピンの中心を通る平面に対して斜線方向に移動し、前記ガイド面は前記平面に対して斜線方向に傾いており、 
前記平面を基準とする時、前記ロッキング解除位置における前記ラチェット突起と前記ロッキングピンとの間の距離が前記ロッキング位置における前記ラチェット突起と前記ロッキングピンとの間の距離より大きい、
バックル装置。
【請求項８】
前記バックルホルダは、前記ロッキングピンに向かって延長するガイド部を備え、
前記ガイド部の前記ロッキングピンに向かう表面が前記ガイド面を備え、
前記スライドバックルは、前記ガイド部が置かれるリセスを備え、
前記リセスの表面が前記スライド面を備える、
請求項７に記載のバックル装置。
【請求項９】
前記弾性バンドの係止部は、前記弾性バンドの幅方向に延長する突起、リッジまたは溝の中から選択されるいずれか１つを備える、請求項１または７に記載のバックル装置。
【請求項１０】
レンズ部を備えた一対のアイカップと、
請求項１に記載のバックル装置と、を備え、
前記バックル装置の前記弾性バンドが前記アイカップの外側端部に連結される、
スイミングゴーグル。
【請求項１１】
レンズ部をそれぞれ備えた一対のアイカップと、
前記一対のアイカップのうち一方の外側端部に取り付けられる請求項７に記載のバックル装置と、
前記一対のアイカップのうち他方の外側端部に取り付けられる請求項７に記載のバックル装置と、を備え、
前記バックル装置の弾性バンドが一体になっている、
スイミングゴーグル。
【発明の詳細な説明】
【技術分野】
【０００１】
本発明は、弾性バンドを解除可能にロッキングできるバックル装置に関するものである。また本発明は、このようなバックル装置を備えた物品に関するものである。
【背景技術】
【０００２】
表面に長手方向に配列されている複数の突起、リッジなどを有する弾性バンドを解除可能にロッキングできるバックル装置が当該分野において知られている。このような弾性バンドは、例えばスイミングゴーグル（ｓｗｉｍｍｉｎｇ  ｇｏｇｇｌｅ）のヘッドストラップ（ｈｅａｄ  ｓｔｒａｐ）として用いられる。この場合、バックル装置は、スイミングゴーグルに取り付けられ、弾性バンドのヘッドストラップをロッキングしてスイミングゴーグルを着用者の頭に固定したり、ヘッドストラップを解除してスイミングゴーグルを着用者が脱ぐことができるようにする。
【０００３】
スイミングゴーグルに用いられて弾性バンドを解除可能にロッキングするバックル装置の一例が大韓民国公開特許公報第２０００−００２６９２７号に開示されている。前記文献に開示されている従来技術のバックル装置では、弾性バンドは、ロッキングピンに巻かれており、弾性バンドをロッキングするスライドバックルは、弾性バンドのリッジに係止される突起を有する。弾性バンドを引っ張ったり弾性バンドが収縮したりした時、リッジがスライドバックルの突起を押す。このようなリッジと突起との作用により、スライドバックルは、弾性バンドをロッキングピンに解除可能にロッキングする。
【０００４】
図１は、従来技術のバックル装置を図式的に示している。図１に示す従来技術のバックル装置１０は、表面に複数の突起またはリッジ１３ａを有する弾性バンド１３を解除可能にロッキングする。バックル装置１０は、スライドバックル１２と、スライドバックル１２とをスライド可能に支持して弾性バンド１３が巻かれるロッキングピン１１ａが設けられたバックルホルダ（図示せず）とを有する。
【０００５】
スライドバックル１２は、その下面に弾性バンド１３のリッジ１３ａが係止するラチェット（ｒａｔｃｈｅｔ）突起１２ａを有する。前記バックルホルダは、スライドバックル１２が案内されるガイド部１１ｂを有する。ガイド部１１ｂは、スライドバックル１２の平面１２ｂと接触するガイド面１１ｃを有する。ガイド面１１ｃは、ロッキングピン１１ａに対して傾きなしに置かれている。即ち、ガイド面１１ｃは、ロッキングピン１１ａを通る第１平面ＨＰに直交する第２平面ＶＰを、第１平面ＨＰに平行に通るガイド平面ＧＰ内に置かれる。従って、スライドバックル１２は、ガイド部１１ｂ及びガイド面１１ｃにより案内されながら弾性バンド１３のリッジ１３ａによりロッキングピン１１ａに対して傾き変化なしにスライド移動する。
【０００６】
弾性バンド１３をバックル装置１０が適用された物品を締める方向ＦＤに引っ張ると、リッジ１３ａがラチェット突起１２ａを締め方向ＦＤに押してスライドバックル１２をロッキング解除位置に移動させる。ロッキング解除位置では、ラチェット突起１２ａとロッキングピン１１ａが離隔されて弾性バンド１２がその間を通過する。引っ張られた弾性バンド１３を放せば、弾性バンド１３の収縮力により弾性バンド１３は収縮方向ＣＤへ移動したり収縮する。弾性バンド１３の収縮によりリッジ１３ａが収縮方向ＣＤでラチェット突起１２ａを押してスライドバックル１２をロッキング位置に移動させる。このような移動により、ラチェット突起１２ａは、弾性バンド１３のロッキング部分１３ｂをロッキングピン１１ａに接触させる。
【０００７】
スライドバックル１２のロッキング位置において、ラチェット突起１２ａの先端とロッキングピン１１ａとの間の距離ｄは、弾性バンド１３の厚さｔより小さい。従って、スライドバックル１２がロッキング位置に移行する直前、ロッキングピン１１ａの周囲に位置する弾性バンド１３の部分１３ｃは、リング状にロッキングピン１１ａの周囲に巻かれ、このリング状の部分１３ｃがスライドバックル１２のロッキング位置への移動に抵抗する。弾性バンド１３の収縮力によりリッジ１３ａがラチェット突起１２ａを収縮方向ＣＤに押しているが、ラチェット突起１２ａは、それに接触している前記リング状の部分１３ｃに接している。従って、リング状部分１３ｃの上側部分を全体的にロッキングピン１１ａに対して圧縮しながらロッキングピン１１ａの上に位置してこそ、弾性バンド１３の完全なロッキングを達成できる。
【０００８】
また、この場合、リング状部分１３ｃを収縮方向ＣＤに押しているラチェット突起１２ａには、弾性バンド１３の弾性により弾性バンド１３からラチェット突起１２ａ側に反力Ｆ１が強く作用する。このような反力Ｆ１は、ガイド面１１ｃとスライドバックル１２の平面１２ｂとの間に収縮方向ＣＤの反対方向に強い摩擦力Ｆ２を発生させるようになり、スライドバックル１２は、ロッキング位置にスムーズに移動できない。
【０００９】
また、弾性バンド１３の収縮力がラチェット突起１２ａがリング状部分１３ｃを圧縮する力より小さいと、ラチェット突起１２ａは、リング状部分１３ｃを圧縮しながらロッキングピン１１ａの上に位置できなくなる。結局、ラチェット突起１２ａが単にリング状部分１３ｃをロッキングピン１１ａ側に押したままで、弾性バンド１３のロッキングが完了することができ、固く信頼性の高い弾性バンド１３のロッキングが達成されない。また、この場合、ラチェット突起１２ａを押しているリッジ１３ａがラチェット突起１２ａから滑ることがあり、弾性バンド１３は、使用者が所望する程度の締めを達成できなくなる。また、前述の現象が発生する場合、使用者または着用者は数回弾性バンド１３を引っ張ってから放さなければならず、場合によっては弾性バンド１３のロッキングピン１１ａの下側部分を引っ張らなければならない。弾性バンド１３０のロッキングピン１１ａの下側部分が引っ張られれば、ラチェット突起１２ａがリッジ１３ａにより収縮方向ＣＤに押されてスライドバックル１２がロッキングピン１１ａから離隔され、ロッキング部分１３ｂがロッキング状態から解除され得る。
【発明の概要】
【発明が解決しようとする課題】
【００１０】
本発明は、上記のような問題を解決するために創案されたもので、本発明の目的は、弾性バンドを一度に調節して信頼性高くロッキングするバックル装置を提供することである。
【課題を解決するための手段】
【００１１】
上記のような目的及びその他の目的を達成するために、本発明の実施形態によるバックル装置は、長手方向に沿って複数の係止部を備える一対の弾性バンドと、離隔されており、前記一対の弾性バンドがそれぞれ掛かる一対のロッキングピンと前記一対のロッキングピンを通る平面に対して相反する方向にそれぞれ傾いている一対のガイド面とを備えるバックルホルダと、前記弾性バンドの前記係止部に係止されるように形成されるラチェット突起と前記バックルホルダの前記ガイド面に面接触するように形成されるスライド面とを有し、前記バックルホルダにスライド可能に前記ロッキングピンの付近にそれぞれ嵌められる一対のスライドバックルと、を備える。前記係止部が前記ラチェット突起を第１方向に押して前記ラチェット突起と前記ロッキングピンとの間に前記弾性バンドの移動が許容されるロッキング解除位置と、前記係止部が前記ラチェット突起を前記第１方向と反対の第２方向に押して前記ラチェット突起が前記弾性バンドを前記ロッキングピンに対して圧迫するロッキング位置との間で前記スライドバックルが移動可能である。
【００１２】
前記バックルホルダは、一対の壁部を備えることができる。前記ロッキングピンと前記ガイド面は、前記壁部の間に位置し、前記スライドバックルは、前記ガイド面と前記壁部との間にスライド可能に嵌められることができる。
【００１３】
また、前記バックルホルダは、前記ロッキングピンのそれぞれに向かって延長する一対のガイドタングを備えることができ、前記スライドバックルは、前記ガイドタングが置かれるリセスを備えることができる。前記ガイドタングの前記ロッキングピンに向かう表面が前記ガイド面を備え、前記リセスの表面が前記スライド面を備える。また、前記壁部の前記ガイドタングに面する縁部が前記ガイド面の傾きと同一の傾きに傾斜するように形成され得る。
【００１４】
前記ガイド面は、前記弾性バンドが前記スライドバックルのロッキング位置で前記ロッキングピンに対して圧縮されて前記第２方向に移動しないように前記平面に対して傾いている。
【００１５】
また、前記バックルホルダは、前記ロッキングピンの間に前記平面に垂直に移動可能な押圧ボタンを備えることができる。前記押圧ボタンは、前記ガイド面に対向するようにそれぞれ傾いた一対の傾斜面を備えることができ、前記スライドバックルは、前記ロッキング位置で前記押圧ボタンの前記傾斜面に接触する傾斜面を備えることができる。前記押圧ボタンの前記ガイド面への移動時に前記押圧ボタンの傾斜面が前記スライドバックルの傾斜面を前記第１方向に沿って押して前記スライドバックルが前記ロッキング解除位置に移動され得る。
【００１６】
このようなバックル装置は、レンズ部を備えた一対のアイカップを備えるスイミングゴーグルに適用され得る。この場合、前記バックル装置の前記弾性バンドが前記アイカップの外側端部に連結される。また、前記バックル装置は、紐を用いて締める靴及びスイミングフィンに適用され得る。この場合、前記紐の両端に前記バックル装置の前記弾性バンドが結合する。
【００１７】
本発明の他の実施形態によるバックル装置は、長手方向に沿って複数の係止部を備える弾性バンドと、前記弾性バンドの前記係止部に係止されるように形成されるラチェット突起とスライド面とを備えるスライドバックルと、前記弾性バンドが掛かるロッキングピンと前記スライドバックルのスライド面と面接触するように形成されるガイド面とを備え、前記スライドバックルをスライド移動可能に支持するバックルホルダと、を備える。前記係止部が前記ラチェット突起を第１方向に押して前記ラチェット突起と前記ロッキングピンとの間に前記弾性バンドの移動が許容されるロッキング解除位置と、前記係止部が前記ラチェット突起を前記第１方向と反対の第２方向に押して前記ラチェット突起が前記弾性バンドを前記ロッキングピンに対して圧迫するロッキング位置との間で前記スライドバックルが前記ガイド面により案内されながらスライド移動可能であり、前記スライドバックルは前記ロッキングピンの中心を通る平面に対して斜線方向に移動し、前記ガイド面は前記平面に対して斜線方向に傾いており、
前記平面を基準とする時、前記ロッキング解除位置における前記ラチェット突起と前記ロッキングピンとの間の距離が前記ロッキング位置における前記ラチェット突起と前記ロッキングピンとの間の距離より大きい。
【００１８】
前記バックルホルダは、前記ロッキングピンに向かって延長するガイド部を備えることができ、前記スライドバックルは、前記ガイド部が置かれるリセスを備えることができる。前記ガイド部の前記ロッキングピンに向かう表面が前記ガイド面を備え、前記リセスの表面が前記スライド面を備える。
【００１９】
このようなバックル装置は、レンズ部をそれぞれ備えた一対のアイカップを備えるスイミングゴーグルに適用され得る。各アイカップの外側端部にバックル装置がそれぞれ取り付けられることができ、各バックル装置の弾性バンドは一体となることができる。
【００２０】
前述したバックル装置において、前記弾性バンドの係止部は、前記弾性バンドの幅方向に延長する突起、リッジまたは溝の中から選択されるいずれか１つを備えることができる。
【発明の効果】
【００２１】
本発明のバックル装置によれば、ロッキング解除位置からロッキング位置にスライドバックルが移動する時、ラチェット突起は、斜線にまたは斜めに弾性バンドのロッキング部分をロッキングピンに対して圧縮する。従って、スライドバックルは拘束なしに少ない摩擦力でロッキング解除位置からロッキング位置にスライド移動できる。また、スライドバックルがロッキング位置に移行する時、弾性バンドのスライドバックルに対する滑りが発生することなく、弾性バンドはロッキングピンに固く高い信頼性で固定され得る。
【図面の簡単な説明】
【００２２】
【図１】従来技術のバックル装置を図式的に示す断面図である。
【図２】スライドバックルがロッキング解除位置にある第１実施形態に係るバックル装置を図式的に示す断面図である。
【図３】スライドバックルがロッキング位置にある第１実施形態に係るバックル装置を図式的に示す断面図である。
【図４】第２実施形態に係るバックル装置を示す斜視図である。
【図５】図４のバックル装置の分解斜視図である。
【図６】図４のＶＩ−ＶＩ線に沿って取る断面図である。
【図７】バックルホルダを示す正面図である。
【図８】スライドバックルを示す正面図である。
【図９】スライドバックルの底面図である。
【図１０】スライドバックルがロッキング解除位置にある図６に類似の断面図である。
【図１１】スライドバックルがロッキング位置にある図６に類似の断面図である。
【図１２】スライドバックルの他の実施形態を示す正面図である。
【図１３】バックルホルダの他の実施形態を示す正面図である。
【図１４】図６に類似の断面図であり、弾性バンドの他の実施形態を示す。
【図１５】図４に示すバックル装置が適用されるスイミングゴーグルの斜視図である。
【図１６】図４に示すバックル装置が適用される靴の斜視図である。
【図１７】図４に示すバックル装置が適用されるスイミングフィンの斜視図である。
【図１８】図２及び図３に示すバックル装置が適用されるスイミングゴーグルの平面図である。
【図１９】図１８に示すスイミングゴーグルの一方のアイカップとバックル装置を示す断面図である。
【発明を実施するための形態】
【００２３】
添付した図面を参照してバックル装置の実施形態及びバックル装置が適用される物品の実施形態を説明する。図面において対応する参照番号は対応する要素または部品を示す。
【００２４】
以下の説明において、「外側」、「外向き」、「外」という方向指示語は、バックル装置が適用される物品を締めたり縛るために弾性バンドがバックル装置から移動する方向をいって、「内側」、「内向き」、「内」という方向指示語は、その反対方向をいう。
【００２５】
図２及び図３は、第１実施形態によるバックル装置を図式的に示す。第１実施形態によるバックル装置１００は、１本の弾性バンド１３０を解除可能にロッキングするように構成されている。弾性バンド１３０は、表面にバックル装置１００とのロッキング時に係止部として機能する複数の突起またはリッジ１３１を有する。バックル装置１００は、その本体を構成して弾性バンド１３０が掛かるロッキングピン１１１を有するバックルホルダ１１０と、バックルホルダ１１０にスライド可能に嵌められて維持されるスライドバックル１２０とを備える。
【００２６】
バックルホルダ１１０は、スライドバックル１２０をスライド可能に支持する。バックルホルダ１１０は、スライドバックル１２０のスライド移動を案内するためのガイド部１１４を有する。ガイド部１１４は、ロッキングピン１１１に向かい延長している。ガイド部１１４は、ロッキングピン１１１に向かう表面にスライドバックル１２０が案内されるガイド面１１４ａを有する。スライドバックル１２０は、ガイド部１１４に接触してバックルホルダ１１０にスライド可能に嵌められている。
【００２７】
スライドバックル１２０は、弾性バンド１３０のリッジ１３１と接触可能なラチェット（ｒａｔｃｈｅｔ）突起１２１をその下面に有する。ラチェット突起１２１は、その先端が締め方向ＦＤ（バックル装置１００が適用される物品を締めたり縛るために弾性バンド１３０を引っ張ったり伸長させる方向）側に傾いた釣り針のかかりまたは楔の形状を有する。また、スライドバックル１２０は、ガイド部１１４が置かれるリセス１２２を有する。リセス１２２の表面がガイド面１１４ａと面接触するスライド面１２２ａからなる。スライドバックル１２０のラチェット突起１２１がロッキングピン１１１から後退してラチェット突起１２１とロッキングピン１１１との間に弾性バンド１３０の移動を許容するロッキング解除位置（図２参照）と、スライドバックル１２０のラチェット突起１２１がロッキングピン１１１の上に置かれてラチェット突起１２１が弾性バンド１３０をロッキングピン１１１に対して圧迫して弾性バンド１３０が若干圧縮された状態でロッキングピン１１１に固定されるロッキング位置（図３参照）との間で、スライドバックル１２０は、ガイド面１１４ａにより案内されながらスライド移動する。
【００２８】
弾性バンド１３０の一端部は、弾性バンド１３０を用いて締めたり縛るための物品に連結されることができ、弾性バンド１３０の中間部分は、バックルホルダ１１０を通過し、弾性バンド１３０の末端部は自由端になることができる。弾性バンド１３０は、バックル装置１００のバックルホルダ１１０を通過し延長する。具体的に、弾性バンド１３０は、バックルホルダ１１０に設けられるロッキングピン１１１の周囲に巻かれてバックルホルダ１１０の内部空間を通過し延長する。弾性バンド１３０は、長い糸または帯の形状を有する。弾性バンド１３０は、弾性と伸縮性を有するエラストマー材料またはプラスチック材料からなる。
【００２９】
弾性バンド１３０は、ロッキングピン１１１の周囲に巻かれた状態で締め方向ＦＤへ引っ張られたり伸長することができる。前記締め方向ＦＤへの移動時に、弾性バンド１３０のリッジ１３１は、ラチェット突起１２１をバックルホルダ１１０の外側方向に（第１方向に）押してスライドバックル１２０をロッキング解除位置に移動させる。弾性バンド１３０がある程度引っ張られたり伸長した状態で解除されば（例えば、使用者が弾性バンド１３０をバックルホルダ１１０から締め方向ＦＤに引っ張ってから放せば）、物品の締めまたは縛り状態を維持するように弾性バンド１３０を固定するために、弾性バンド１３０は、それ自体の弾性または収縮性により収縮方向ＣＤ（弾性バンド１３０がある程度の収縮力で物品に密着する方向）に移動したり収縮する。前記収縮方向ＣＤの移動時に、弾性バンド１３０のリッジ１３１はラチェット突起１２１をバックルホルダ１１０の内側方向に（第１方向に反対の第２方向に）押してスライドバックル１２０をロッキング位置に移動させる。
【００３０】
スライドバックル１２０は、ロッキング位置を過ぎてロッキングピン１１１より内側に移動することを阻止するストッパ要素を有する。即ち、スライドバックル１２０がリッジ１３１により押されて移動してラチェット突起１２１がロッキングピン１１１より内側に移動すると、弾性バンド１３０のロッキングが達成されない。これを防止するために、前記ストッパ要素として、スライドバックル１２０は、ガイド部１１４の外側端部１１４ｂと接触するストッパ部１２２ｂを有する。ストッパ部１２２ｂは、外側端部１１４ｂに当接してラチェット突起１２１がロッキングピン１１１を過ぎてバックルホルダ２１１の内側に移動しないように位置設定されている。
【００３１】
一方、バックルホルダ１１０のガイド面１１４ａは、ロッキングピン１１１に対して傾いている。詳細には、ガイド面１１４ａは、ロッキングピン１１１の中心ＣＰを通る第１平面ＨＰに直交する第２平面ＶＰを、第１平面ＨＰに対して所定の角度θに傾いて通るガイド平面ＧＰ内に置かれる。前記角度θは、弾性バンド１３０のロッキング部分１３０ａがラチェット突起１２１の先端とロッキングピン１１１との間に挟まる時、収縮方向ＣＤへの移動がなくロッキング部分１３０ａが圧縮されるように定められる。前記角度θは、１°〜２５°の範囲の値を有することができる。望ましくは、前記角度θは、３°〜１０°の範囲の値を有することができる。前記角度θは、弾性バンドのロッキング部分１３０ａの信頼性の高いロッキングがなされるように選択され得る。
【００３２】
このような配置によって、第１平面ＨＰを基準とする時、図２に例示するロッキング解除位置におけるラチェット突起１２１とロッキングピン１１１との間の距離が図３に例示するロッキング位置におけるラチェット突起１２１とロッキングピン１１１との間の距離より大きい。従って、図２に例示するロッキング解除位置から図３に例示するロッキング位置にスライドバックル１２０がスライド移動する場合、例えば弾性バンド１３０が図２から収縮方向ＣＤに移動する場合、スライドバックル１２０は、ロッキングピン１１１に対して斜線方向に（第１平面ＨＰに対して斜線方向に）ロッキングピン１１１に近接する。
【００３３】
ロッキング解除位置におけるより大きい空間及びスライドバックル１２０の斜線移動により、ラチェット突起１２１がロッキング位置に近接する時、弾性バンド１３０は、ロッキングピン１１１の周囲にリング状に丸められる部分を形成しない。また、ロッキング位置に入る時、ラチェット突起１２１は、弾性バンド１３０のロッキングピン１１１にロッキングされる部分１３０ａに斜めに圧縮し入る。従って、ロッキング位置付近で弾性バンド１３０からスライドバックル１２０にガイド面１１４ａに垂直な方向に力が作用しないことになり、スライドバックル１２０は、いかなる拘束もなしにロッキング位置に移動できる。また、ラチェット突起１２１が弾性バンド１３０をロッキングピン１１１に対して斜線にまたは斜めに圧縮しながらロッキングピン１１１に進入するので、弾性バンド１３０は一度に且つ高い信頼性でロッキング位置に移動できる。また、ロッキング部分１３０ａがロッキングピン１１１にロッキングされた状態で弾性バンド１３０のロッキングピン１１１の下側部分が引っ張られる場合、ラチェット突起１２１はリッジ１３１により収縮方向ＣＤに押されてスライドバックル１２０がロッキングピン１１１の内側に若干移動することができる。この場合、スライドバックル１２０がロッキングピン１１１に対して斜めにロッキング部分１３０ａをより圧縮し入るようになる。従って、弾性バンド１３０のロッキングピン１１１の下側部分が引っ張られるほど、ロッキング部分１３０ａは、より強くロッキングされる。
図４〜図１１には、第２実施形態によるバックル装置が示されている。
【００３４】
この実施形態のバックル装置２００は、一対のまたは２本の弾性バンド２３０をその両側部でそれぞれ解除可能にロッキングするように構成されている。バックル装置２００は、バックルホルダ２１０と、バックルホルダ２１０にスライド可能に結合してそれぞれの弾性バンド２３０をバックルホルダ２１０にロッキングする一対のスライドバックル２２０とを備える。バックルホルダ２１０は、弾性バンド２３０が掛かりロッキングされる一対のロッキングピン２１１を備える。バックル装置２００はロッキングピン２１１の中心ＣＰを通る第１平面ＨＰに直交してバックルホルダ２１０の長手方向の中間を通る垂直平面ＶＤＰに対して左右対称になるように構成されている。ロッキングピン２１１は、垂直平面ＶＤＰを中心に離隔されている。
【００３５】
バックルホルダ２１０は、バックル装置２００の本体を構成し、ほぼ四角形のフレーム形態に形成されている。前記フレームは、長方形平板形状の一対の壁部２１２と、壁部２１２を所定距離を置いて連結する架橋部２１３とを備える。架橋部２１３は、壁部２１２の上端中央から上方に若干突出して壁部２１２を互いに連結している。他の実施形態において、バックルホルダ２１０は、壁部２１２の下端を相互連結して壁部２１２と一体に形成される連結部材を備えることができる。
【００３６】
ロッキングピン２１１は、壁部２１２の長手方向の両端付近で壁部２１２の間に位置する。この実施形態において、ロッキングピン２１１は、壁部２１２と一体に形成されている。他の実施形態において、ロッキングピン２１１は、バックルホルダ２１０とは別途に形成され壁部２１２に嵌められることができる。ロッキングピン２１１の断面形状は、角が丸い長方形に近い。他の実施形態において、ロッキングピン２１１の断面形状は楕円形、長楕円形、円形などを備えることができる。
【００３７】
一対の弾性バンド２３０は、帯形状を有する。弾性バンド２３０の横断面形状はその全体に渡り概ね長方形を有したり、バックルホルダ２１０を通過する部分の横断面形状は長方形を有し、それ以外の部分の横断面形状は円形または楕円形を有することができる。弾性バンド２３０は、弾性と伸縮性を有するエラストマー材料またはプラスチック材料からなる。弾性バンド２３０は、ロッキングピン２１１に掛かり壁部２１２が限定する内部空間を通過する。
【００３８】
一対の弾性バンド２３０は、１本の長い弾性バンドの両端部がバックルホルダ２１０の両側を通じて延長し、その中間部分は、バックル装置２００が適用される物品に連結される形でバックル装置２００と物品との間に配置され得る。更には、一対の弾性バンド２３０は、２本の弾性バンドのそれぞれの一端部を備えることができ、それぞれの一端部は、バックルホルダ２１０の両側を通じて延長し、他端部は、物品に連結される形でバックル装置２００と物品との間に配置され得る。
【００３９】
弾性バンド２３０は、一端から他端側に所定範囲に渡りバックルホルダ２１０とのロッキング時に係止要素として機能する複数の係止部を有する。この実施形態において、前記係止部は、複数の突起またはリッジ２３１を備える。突起またはリッジ２３１は弾性バンド２３０の幅方向に延長している。突起またはリッジ２３１は、弾性バンド２３０の長手方向に沿って概ね等間隔で配列されている。弾性バンド２３０は、一端部付近にストッパ２３２を有する。ストッパ２３２は、一端に向かって傾斜した傾斜面２３２ａと傾斜面２３２ａに垂直な垂直面２３２ｂとを有する。ストッパ２３２の高さは、リッジ２３１の高さより大きい。ストッパ２３２は、弾性バンド２３０がバックルホルダ２１０に嵌められた後、スライドバックル２２０とロッキングピン２１１とを通過し抜けるのを難しくする。
【００４０】
バックルホルダ２１０は、スライドバックル２２０のバックル装置２００の内外側への移動を案内するためのガイド面を備える。この実施形態において、前記ガイド面は、架橋部２１３から外側に相反する方向に延長する一対のガイドタング２１４のロッキングピン２１１に向かう表面（ガイドタング２１４の底面）を備える。ガイドタング２１４は、概ねＵ字状の平板形状を有する。ガイドタング２１４は、壁部２１２の上端縁部または壁部２１２の両端部に位置するロッキングピン２１１に対して所定角度に傾いている。ガイドタング２１４が架橋部２１３から延長するため、ガイドタング２１４と壁部２１２の上端との間には一定の空間が形成され、スライドバックル２２０は、前記空間に嵌められた状態でバックルホルダ２１０の内外側へ移動する。
【００４１】
前述したように、ガイドタング２１４は、その底面にスライドバックル２２０が案内される平らなガイド面２１４ａを有する。各ガイド面２１４ａは、各ロッキングピン２１１に対して傾いている。詳細には、各ガイド面２１４ａは、一対のロッキングピン２１１の中心ＣＰを通る第１平面ＨＰに対して所定の角度θに相反する方向に傾いているガイド平面ＧＰ１、ＧＰ２内に置かれる。ガイド面２１４ａの傾きは、他の方式で定義されることもできる。即ち、一方のガイド面２１４ａは、ロッキングピン２１１の中心ＣＰを通る第１平面ＨＰに直交する第２平面ＶＰを、第１平面ＨＰに対して所定の角度θに傾いて通るガイド平面ＧＰ１内に置かれる。前記角度θは、弾性バンド２３０のロッキング部分２３０ａがラチェット突起２２１の先端とロッキングピン２１１との間に挟まる時、弾性バンド２３０の収縮方向ＣＤへの移動がなくロッキング部分２３０ａが圧縮されるように定められる。前記角度θは、１°〜２５°（望ましくは３°〜１０°）の間の範囲で選択され得る。前記角度θが大き過ぎる場合、ロッキング位置への移動時にリッジ２３１とスライドバックル２２０が正確に接触できないこともある。また、前記角度θがあまりにも小さい場合、ロッキング位置付近で弾性バンド２３０がロッキングピン２１１周囲にリング状に丸められる部分を形成することもある。また、ガイドタング２１４は、ガイド面２１４ａの上に下方に突出したストッパ２１４ｂを有する。スライドバックル２２０がバックルホルダ２１０に組み立てられる時、ストッパ２１４ｂは、後述するスライドバックル２２０のスロット２２３に嵌められるように位置している。
【００４２】
スライドバックル２２０は、壁部２１２の上端とガイドタング２１４との間の空間に嵌められてバックルホルダ２１０に維持される。スライドバックル２２０は、その底面に弾性バンド２３０のリッジ２３１が係止するように形成されたラチェット突起２２１を有する。ラチェット突起２２１は、その先端が締め方向ＦＤ（バックル装置２００が適用される物品を締めたり縛るために弾性バンド２３０を引っ張ったり伸長させる方向）側に傾いた釣り針のかかりまたは楔の形状を有する。他の例として、ラチェット突起２２１は、斜辺が締め方向ＦＤに面する直角三角形または単に四角形状の横断面形状を有することができる。
【００４３】
弾性バンド２３０は、ロッキングピン２１１に掛かった状態で締め方向ＦＤへ引っ張られたり伸長することができる。締め方向ＦＤは、ロッキングピン２１１を中心としてその下側にある弾性バンド２３０の一部とその上側にある弾性バンド２３０の一部が鋭角をなしながら置かれる時、物品を締めるために弾性バンド２３０が移動する方向である。弾性バンド２３０が締め方向ＦＤに引っ張られたり伸長することによって、バックルホルダ２１０は、物品側に密着して伸長する弾性バンド２３０により物品は締められるようになる。弾性バンド２３０を締め方向ＦＤに引っ張ると、弾性バンド２３０は、締め方向ＦＤへ移動したり伸長しながら、リッジ２３１がラチェット突起２２１に係止してラチェット突起２２１を第１方向に押す。従って、スライドバックル２２０は、バックル装置２００の外側に移動し、ロッキング解除位置に移動したりロッキング解除位置に維持され得る。反対に、弾性バンド２３０の引っ張りまたは伸長を解除すれば、弾性バンド２３０は、それ自体の弾性または収縮性により収縮方向ＣＤ（弾性バンド２３０がある程度の収縮力で物品に密着する方向）に収縮する。このような収縮時に、リッジの中のいずれか１つがラチェット突起２２１に係止してラチェット突起２２１を第２方向（第１方向に反対となる方向）に押し、スライドバックル２２０は、弾性バンド２３０の収縮する力に引かれてバックル装置２００の内側に移動する。このような内側移動により、スライドバックル２２０は、ロッキング位置に移動され得る。
【００４４】
スライドバックル２２０は、バックルホルダ２１０のガイド面２１４ａに面接触するように形成されるスライド面を有する。この実施形態において、前記スライド面はスライドバックル２２０の上部に形成されたＵ字状のリセス２２２の表面を含む。リセス２２２の外形は、ガイドタング２１４の外形と相似する。リセス２２２の表面は、概ね平たい。従って、スライドバックル２２０は、リセス２２２にガイドタング２１４が嵌められたままでガイドタング２１４のガイド面２１４ａに沿ってスライド可能に案内される。
【００４５】
リセス２２２の中央には、前記第１及び第２方向に沿って長くスロット２２３が形成されている。スロット２２３には、ガイドタング２１４のストッパ２１４ｂが嵌められる。スロット２２３の内側端にストッパ２１４ｂが当接することによってスライドバックル２２０のバックルホルダ２１０からの離脱が防止される。また、スライドバックル２２０は、ロッキング位置を過ぎてロッキングピン２１１より内側に移動を防止するストッパ要素を有する。この実施形態において、前記ストッパ要素は、リセス２２２を限定するスライドバックル２２０の両側部２２０ａの内側端部２２０ｂである。内側端部２２０ｂは、架橋部２１３に当接してラチェット突起２２１がロッキングピン２１１を過ぎてバックルホルダ２１１の内側に移動しないように位置設定されている。
【００４６】
スライドバックル２２０は、内側端部に下方に垂直に延長する押圧板２２４を有する。押圧板２２４の先端は傾斜面２２４ａを有する。傾斜面２２４ａは、後述する押圧ボタンと相互作用してスライドバックル２２０をロッキング解除位置に移動させる。スライドバックル２２０は、底面にスロット２２３を中心に一対のガイドフィン（ｇｕｉｄｅ  ｆｉｎ）２２５を有する。ガイドフィン２２５間の距離は、バックルホルダの壁部２１２間の距離より若干小さい。ガイドフィン２２５が壁部２１２の間に位置してスライドバックル２２０の横方向の揺動をより防止できる。
【００４７】
スライドバックル２２０がロッキング位置にある時（図１１参照）、ラチェット突起２２１は、弾性バンド２３０をロッキングピン２１１に対して圧迫し、弾性バンド２３０は、若干圧縮された状態でラチェット突起２２１とロッキングピン２１１との間にロッキングされている。このロッキング位置では、スライドバックル２２０は、圧縮された弾性バンド２３０の膨張力によりガイドタング２１４側に強く加圧されている。この状態からスライドバックル２２０をロッキング解除位置に容易に移動させるために、バックルホルダ２１０は、スライドバックル２２０をバックルホルダ２１０の外側に押すための要素を備える。この実施形態において、前記要素は垂直平面ＶＤＰに沿って上下動可能にバックルホルダ２１０に配置される押圧ボタン２１５を備える。
【００４８】
押圧ボタン２１５は、ガイド面２１４ａに対して反対方向に傾斜している傾斜面２１５ａを備え、概ね二等辺三角形状の横断面形状を有する。傾斜面２１５ａは、平面または緩く湾曲した凹面を備えることができる。押圧ボタン２１５の上下方移動を案内するために、押圧ボタン２１５は、上端部でバックルホルダの壁部２１２側にそれぞれ突出する挿入突起２１５ｂを有する。また、バックルホルダ２１０は、挿入突起２１５ｂが嵌められて案内されるガイドスロット２１６を有する。ガイドスロット２１６は、垂直平面ＶＤＰに沿って壁部２１２の下端付近から架橋部２１１の上端付近まで延長されている。従って、押圧ボタン２１５は、その挿入突起２１５ｂがガイドスロット２１６に嵌められたままでバックルホルダ２１０に対して上下動可能である。他の例として、バックルホルダ２１０は、押圧ボタンの挿入突起２１５ｂが嵌められるように壁部２１２の内面に上下に形成されるガイド溝を備えることができる。
【００４９】
ロッキング位置において、押圧ボタン２１５は、壁部２１２の下端付近に位置し、スライドバックル２２０の押圧板２２４の傾斜面２２４ａは、押圧ボタン２１５の傾斜面２１５ａの上方に置かれる。押圧ボタン２１５を上方に（スライドバックル２２０側に）押すと、押圧ボタン２１５の上方移動に伴う反作用により押圧板２２４の傾斜面２２４ａにバックルホルダ２１０の外側に向かう力が作用する。従って、このような力により、スライドバックル２２０は、ロッキング解除位置に向かって弾性バンド２３０の加圧力を克服して強く移動され得る。
【００５０】
スライドバックル２２０の押圧板２２４は、押圧ボタン２１５の傾斜面２１５ａとの円滑な摺接のために他の形態で構成されることもできる。例えば、図１２に示すように、押圧板２２４’は、傾斜面２１５ａに対して凸状に湾曲した形態で構成されることもできる。
【００５１】
図５〜図７に示すように、ガイドタング２１４は、ロッキングピン２１１に対して傾いている。また、バックルホルダ２１０の壁部２１２の上側縁部は、概ね第１平面ＨＰに平行である。壁部２１２の上側縁部とガイドタング２１４との間の空間にスライドバックル２２０の両側部２２０ａが位置し、スライドバックル２２０は、バックルホルダ２１０の内外にスライド移動する。弾性バンド２３０がロッキングピン２１１に巻かれれば、弾性バンド２３０の厚さによってスライドバックル２２０の外側端部が上方に若干上げられ、リセス２２２の表面（スライド面）とガイド面２１４ａとが密着する。このような密着状態で、スライドバックル２２０は、ガイド面２３１ａにより案内されながらロッキング位置とロッキング解除位置との間で移動する。スライドバックル２２０のスライド移動を案内するために、バックルホルダ２１０は追加のガイド部を備えることができる。例えば、図１３に示すように、バックルホルダ２１０の壁部２１２の左右の上側縁部がガイド面２１４ａの傾斜角θと同一の角度で第１平面ＨＰに対して傾めに形成され得る。この場合、スライドバックル２２０の両側部２２０ａは、ガイドタング２１４と壁部２１２の上側縁部との間にほぼ遊びなしに位置し、スライドバックル２２０は、ガイド面２１４ａと壁部２１２の上側縁部により案内されながらスライド移動可能である。
図６、図１０及び図１１を参照し、上述した構成のバックル装置２００において、弾性バンドのロッキング及びロッキング解除の例を説明する。
【００５２】
弾性バンド２３０がスライドバックルのラチェット突起２２１とロッキングピン２１１との間で拘束なしに移動可能な状態または移動が不可能な状態で、使用者は、弾性バンド２３０の一端部を掴んで締め方向ＦＤに引っ張る。そうすると、弾性バンド２３０は、ロッキングピン２１１の周囲を回って締め方向ＦＤへ移動する。また、弾性バンド２３０の移動により物品がある程度締められたり縛る時、弾性バンド２３０をさらに引っ張ると、弾性バンド２３０は、その長手方向に伸長する。このような移動及び伸長の過程で、弾性バンドのリッジ２３１がスライドバックルのラチェット突起２２１を外側に（即ち、第１方向に）押すようになるため、スライドバックル２２０は、リッジ２３１の押しまたはぶつかりにより図１０に示すロッキング解除位置（即ち、ロッキングピン２１１とラチェット突起２２１との間で弾性バンド２３０が拘束なしに移動可能なスライドバックル２３０の位置）に移行したり維持される。この場合、ガイドタング２１４のストッパ２１４ｂがスライドバックルのスロット２２３の内側端に係止するため、スライドバックル２３０がバックルホルダ２１０から分離されることが防止される。
【００５３】
物品をある程度締めた後に伸長した弾性バンド２３０が解除されれば（または使用者が弾性バンド２３０を放せば）、弾性バンド２３０は、それ自体の弾性または収縮性により収縮方向ＣＤに移動しながらロッキングピン２１１を回って出る。このような収縮移動時に、弾性バンド２３０のリッジ２３１がラチェット突起２２１に外側から内側にぶつかってラチェット突起２２１を内側に（即ち、第２方向に）押すことになり、スライドバックル２２０は、このような押しまたはぶつかりにより強くバックルホルダ２１０の内側に押される。ラチェット突起２２１がリッジ２３１により押されてロッキングピン２１１付近に位置すれば、ラチェット突起２２１を押しているリッジ２３１とそれよりすぐに内側にある他のリッジ２３１との間の弾性バンド２３０のロッキング部分２３０ａがロッキングピン２１１に接触することになる。この場合、弾性バンド２３０の収縮力が継続して作用しており、ラチェット突起２２１には、それに接触しているリッジ２３１によりバックルホルダ２１０の内側に向かう力が継続して作用している。ロッキング位置において、ラチェット突起２２１とロッキングピン２１１との間の最短距離は、弾性バンド２３０の厚さより小さい。また、ガイド面２１４ａがロッキングピン２１１に対して傾いているため、スライドバックル２２０とラチェット突起２２１は、ロッキングピン２１１に斜めに斜線に接近する。従って、弾性バンド２３０の収縮に従ってリッジ２３１により押されるラチェット突起２２１が斜めにロッキングピン２１１に近接するため、弾性バンドのロッキング部分２３０ａは、斜めに入ってくるラチェット突起２２１によりロッキングピン２１１側にある程度圧縮されながらロッキングピン２１１とラチェット突起２２１との間に挟まることになる。このような挟まりによりロッキング部分２３０ａとロッキングピン２１１との間及びロッキング部分２３０ａとラチェット突起２２１との間には、弾性バンド２３０の収縮方向に反対となる方向に摩擦力が強く生成される。前記摩擦力が弾性バンド２３０の収縮力より大きくなれば、図１１に示すロッキング位置のように、ロッキング部分２３０ａは、ロッキングピン２１１とラチェット突起２２１との間に停止することになり、弾性バンド２３０は、ロッキングピン２１１に固定またはロッキングされる。また、ロッキング位置では、スライドバックル２２０の押圧板２２４の傾斜面２２４ａは、押圧ボタン２１５の傾斜面２１５ａの上方に置かれることになる。
【００５４】
前述したように、バックルホルダ２１０のガイド面２１４ａは、一対のロッキングピン２１１を通る第１平面ＨＰに対して所定の角度θに傾いている。また、第１平面ＨＰを基準として、ロッキング解除位置におけるラチェット突起２２１とロッキングピン２１１との間の距離がロッキング位置におけるラチェット突起２２１とロッキングピン２１１との間の距離より大きい。そして、ロッキング位置において、ラチェット突起２２１とロッキングピン２１１との間の距離は、弾性バンド２３０の厚さより小さい。また、ロッキング解除位置において、スライドバックル２２０は弾性バンド２３０によりその外側端部が若干上がっており、ガイド面２１４ａにリセス２２２が接触したままでバックルホルダ２１０に維持されている。
【００５５】
前述したロッキングピン２１１、ガイド面２１４ａ及びスライドバックル２２０の配置によって、スライドバックル２２０は第１平面ＨＰに平行にスライドしてロッキング位置に移動しない。スライドバックル２２０は、ロッキングピン２１１に斜めに、即ち第１平面ＨＰに対して斜線にまたは斜めにスライドしてロッキング位置に進入する。また、スライドバックル２２０がロッキング位置に進入する時、弾性バンド２３０は、ラチェット突起２２１により押されてロッキングピン２１１の周囲にリング状に丸められる部分を形成しない。従って、スライドバックル２２０がロッキング位置に進入する時、弾性バンド２３０からスライドバックル２２０にガイド面２３１ａに垂直に力が加えられてスライドバックル２２０とガイド面２１４ａとの間に大きな摩擦力がかかることがない。また、スライドバックル２２０が弾性バンド２３０のロッキングピン２１１の周囲に巻かれた部分に係止してバックルホルダ２１０の内側にそれ以上スライドしなかったり、それによってリッジ２３１がラチェット突起２２１から滑ることが発生しない。また、ガイド面２１４ａのロッキングピン２１１に対する傾斜及びこれによるラチェット突起２２１の斜めの噛みによって、スライドバックル２２０は、拘束なしに円滑にロッキング位置にスライドでき、それに従ってラチェット突起２２１が速やかにロッキング部分２３０ａを圧縮して弾性バンド２３０が固く固定され得る。また、ロッキング部分２３０ａがロッキングピン２１１に対してロッキングされた状態で弾性バンド２３０のロッキングピン２１１の下側部分が引っ張られる場合、スライドバックル２２０がガイド面２１４ａに沿って移動してラチェット突起２２１がロッキングピン２１１に対して斜めにロッキング部分２３０ａをより圧縮し入ることになるため、ロッキング部分２３０ａに、より強いロッキングが加えられる。
【００５６】
前述したバックル装置の実施形態において、弾性バンド１３０、２３０は、その表面上に複数の突起またはリッジ１３１、２３１を有するものとして例示されている。他の実施形態として、弾性バンド１３０、２３０は、その表面に幅方向に延びる複数の溝を有することができる。図１４は、このような弾性バンドの例を例示する。図１４に示すように、弾性バンド２３０’は、その表面上に複数の溝２３１’を有する。溝２３１’は、弾性バンド２３０’の幅方向に延長し、弾性バンドの長手方向に沿って等間隔で配列されている。溝２３１’の横断面形状は、三角形、直角三角形、四角形などを含むことができる。
【００５７】
前述したバックル装置の実施形態において、弾性バンド１３０、２３０のリッジ１３１、２３１は、平面形状が長方形のものとして例示されている。リッジ１３１、２３１の平面形状は平行四辺形、長楕円形などを含むことができる。
【００５８】
前述したバックル装置の実施形態において、スライドバックル２２０は、壁部２１２と壁部２１２から突出しているガイドタング２１４との間の空間に嵌められるものとして例示されている。他の実施形態として、ガイドタング２１４は、概ね壁部２１２の上端と同一の高さに形成されることもでき、壁部２１２の内面にスライドバックル２２０の両側部が置かれる段差部が形成されることもでき、スライドバックル２２０は、前記段差部上に置かれることもできる。
【００５９】
また、前述したバックル装置の実施形態において、一対のスライドバックル２２０は、架橋部２１３から相反する方向に延長するガイドタング２１４により案内されるものとして例示されている。他の実施形態として、ガイドタング２１４のようなガイド部がバックルホルダ２１０の各端部からバックルホルダ２１０の内側に向かって延長する形でバックルホルダ２１０に設けられることもできる。
【００６０】
前述した第２実施形態によるバックル装置２００では、バックルホルダ２１０の両側に２つのスライドバックル２２０を有し、１本の弾性バンドの両端部または２本の弾性バンドのそれぞれの一端部がバックルホルダ２１０の両側に位置したロッキングピン２１１にかかって延長する。従って、バックル装置２００の場合、２つの弾性バンド２３０の端部部分を引っ張ってから放すことによって、物品と連結される弾性バンド２３０を一度に調節できる。このようなバックル装置２００が適用される物品の例が図１５〜図１７に示されている。
【００６１】
図１５は、バックル装置２００が適用される物品の一例としてスイミングゴーグルを例示する。スイミングゴーグル２０は、レンズ部２１ａを備えた一対のアイカップ２１を備える。このようなスイミングゴーグル２０には、アイカップ２１に着用者の頭を取り囲む弾性または伸縮性のヘッドストラップ（ｈｅａｄ  ｓｔｒａｐ）が備えられる。前記ヘッドストラップとして、バックル装置２００の弾性バンド２３０が用いられる。弾性バンド２３０は、１本からなり、各アイカップ２１の外側端部を通過している。バックル装置２００のバックルホルダ２１０の両側に延長する弾性バンド２３０の両端部を引っ張ってから放すことによって、弾性バンド２３０は、着用者の頭部分を適宜圧迫しながらバックルホルダ２１０にロッキングされ得る。
【００６２】
図１５に例示するのとは異なり、２本の弾性バンド２３０が用いられることもできる。この場合、各弾性バンド２３０は、一端部がバックルホルダ２１０を通過し、他端部がそれぞれのアイカップ２１に連結され得る。また、図１５に例示するスイミングゴーグル２０以外に、他の類型のゴーグルにもバックル装置２００が適用され得る。
【００６３】
バックル装置２００は、靴類にも適用され得る。図１６に例示するように、締めるために紐３１を用いる靴３０にバックル装置２００が適用され得る。また、図１７に例示すように、締めるために紐４１を用いるスイミングフィン４０にもバックル装置２００が適用され得る。図１６及び図１７に示す適用例において、紐３１、４１は、その全体が弾性バンド２３０で構成されることもできる。または、紐３１、４１は、中間部分は織物で構成され、その両端部の一部のみが弾性バンド２３０で構成されることもできる。バックル装置２００を用いて、靴３０またはスイミングフィン４０の紐３１、４１は、容易に調節され得る。
【００６４】
図１８及び図１９は、第１実施形態によるバックル装置が適用される物品の一例としてスイミングゴーグルを例示する。スイミングゴーグル５０は、それぞれレンズ部５１ａを備えた一対のアイカップ５１を備え、各アイカップ５１の外側端部に第１実施形態のバックル装置と類似するように構成されるバックル装置３００が取り付けられている。この場合、１本の弾性バンド３３０が採用され、弾性バンド３３０の各端部は各アイカップ５１に取り付けられたバックル装置３００のロッキングピン３１１を経てバックルホルダ３１０を通過し延長する。図１９を参照すると、アイカップ５１の外側端部にバックルホルダ３１０が配置されている。バックルホルダ３１０は、アイカップ５１に一体に形成されたり、別途に製造されてアイカップ５１に嵌合式に取り付けられることができる。バックルホルダ３１０の上側にスライドバックル３２０のスライド移動を案内するガイド部３１４が形成されており、ガイド部３１４は、底面（ロッキングピン３１１に向かう表面）に平らなガイド面３１４ａを有する。スライドバックル３２０は、ガイド部３１４が置かれるリセス３２２を備え、リセス３２２の表面がガイド面３１４ａと面接触してスライドバックル３２０が案内されるようにバックルホルダ３１０が構成されている。ロッキングピン３１１は、バックルホルダ３１０の外側端部付近にバックルホルダ３１０と一体に形成されている。
【００６５】
ガイド部３１４のガイド面３１４ａは、ロッキングピン３１１に対して傾いている。詳細には、ガイド面３１４ａは、ロッキングピン３１１の中心を通る第１平面ＨＰに直交する第２平面ＶＰを第１平面ＨＰに対して所定の角度θに傾いて通るガイド平面ＧＰ内に置かれる。従って、スライドバックル３２０は、ガイド面３１４ａに沿って案内されながらラチェット突起３２１は、ロッキングピン３１１に第１平面ＨＰに対して斜めに近接して遠くなる。弾性バンド３３０の引っ張りまたは解除により、スライドバックル３２０は、弾性バンド３３０がラチェット突起３２１によりロッキングピン３１１に対して圧縮されて固定されるロッキング位置と、スライドバックル３２０のラチェット突起３２１とロッキングピン３１１との間で弾性バンド３３０の移動を許容するロッキング解除位置との間でスライド移動する。
【００６６】
以上説明した本発明は、前述した実施形態及び添付の図面により限定されるものではなく、本発明の技術的思想を逸脱しない範囲内で様々な置換、変形及び変更が可能であるということは、本発明が属する分野において通常の知識を有する者にとって明白である。
【図１】
0005356596.tif 000002
【図２】
0005356596.tif 000003
【図３】
0005356596.tif 000004
【図４】
0005356596.tif 000005
【図５】
0005356596.tif 000006
【図６】
0005356596.tif 000007
【図７】
0005356596.tif 000008
【図８】
0005356596.tif 000009
【図９】
0005356596.tif 000010
【図１０】
0005356596.tif 000011
【図１１】
0005356596.tif 000012
【図１２】
0005356596.tif 000013
【図１３】
0005356596.tif 000014
【図１４】
0005356596.tif 000015
【図１５】
0005356596.tif 000016
【図１６】
0005356596.tif 000017
【図１７】
0005356596.tif 000018
【図１８】
0005356596.tif 000019
【図１９】
0005356596.tif 000020